(57)【特許請求の範囲】
【請求項１】
胴部にネジ溝(2a)を形成した口部(２)を具えた容器体(1)と、内周面に当該ネジ溝(2a)と螺合するネジ部(3a)を形成すると共に下端に刷毛(５)を装着した柄状杆(４)を中心部に垂設したキャップ体(３)とから成る刷毛付きキャップを具えた容器に於いて、
前記した口部(２)は、上端に水平周面(2b)を連設すると共に当該水平周面(2b)の内周縁から垂直に折曲げ形成した垂下周面(2c)を連設するように構成し、
前記したキャップ体(３)には、その内側にして上記柄状杆(４)の外側の部分に円筒状垂下片(６)を同心円状に垂設すると共に、当該円筒状垂下片(６)として、その下端縁部分を二股状に分岐させることにより、外側分岐片(6a)と、これより丈長に垂下させた内側分岐片(6b)とを形成し、当該内側分岐片(6b)の外面側はテーパー周面(6c)とすると共にそのテーパー形態を、広径部分が上記口部(２)の開口直径よりも大きく、また、狭径部分は当該口部(２)の開口直径よりも小さくなるように設定することに依り、当該テーパー周面(6c)が口部(２)の垂下周面(2c)に圧接して口部(２)の閉塞が果たされるように設定し、また、前記した外側分岐片(6a)は、テーパー周面(6c)の上記圧接した際に、口部(２)の水平周面(2b)に当たってキャップ体(３)のこれ以上の螺合降下が阻止されるような寸法的設定を施すように構成すると共に、上記した外側分岐片(6a)は、キャップ体(３)をやや強めに締めることにより外側方向にやや反らされ、これに基づき円筒状垂下片(６)の下端部寄りに回転モーメントを生させて、内側分岐片(6b)を外方に引き寄せて口部(２)の垂下周面(2c)に強く押付ける力として働くように構成して成り、かつ、キャップ体(２)はその全体を弾力性を有する合成樹脂材料で形成した刷毛付きキャップ。
【発明の詳細な説明】
【技術分野】
【０００１】
本発明は、塗料等の塗布剤、接着剤、またはマニキュア、ペディキュアのような化粧用塗布液等、所要の塗布用液体を収容するための刷毛付きキャップを具えた容器に関するものである。
【背景技術】
【０００２】
従来のこの種の容器としては、キャップ体の内周面下半部に、容器における口部のネジ部に螺合させるためのネジ溝を刻設すると共に、キャップ体の容器口部に対する閉塞をなすための円筒状垂下片を、キャップ体の天板の下面に対して同心円状に一体成形して成る刷毛付きキャップを具えた容器がある。（例えば、特許文献１参照。）
【特許文献１】実開平３−５６５５７号公報
【０００３】
以下、図５について従来の刷毛付きキャップを具えた容器を説明する。  すなわち、従来に於いては、キャップ体ａの天板ｂの下面に一体成形した円筒状垂下片ｃを、容器ｄの口部ｅに対して圧接させることにより、当該口部eの閉塞を行わせるように構成したものであった。
【発明の開示】
【発明が解決しようとする課題】
【０００４】
上述したような従来例の場合、キャップ体ａは容器側のネジ溝に沿って降下して閉まるため、その降下は完全なる水平状態での降下というよりも、若干傾いた状態で回転しながら降下することとなる。  従って、キャップ体ａを締めた際、その円筒状垂下片ｃの下端縁は、口部eの口縁上面に対して均一なる接触性を保持することが難しく、必然、キャップ体ａを必要以上に螺子込んで、当該接触の緊密化を図らなければならなかった。  換言すると、キャップ体ａを普通に口部eに螺合した場合、円筒状垂下片ｃの全周の一律的接触を確保することができず、上下、左右にブレ(傾きを生じてしまうために発生するブレ)が生じてしまいがちであり、これは、閉塞の不完全性を招きがちとされた。
【０００５】
また、上記した従来例の場合、その密閉作用は、円筒状垂下片ｃの下端縁の容器側の口部平坦面に対する線的接触に依存するものであるため、その全てが均一的に接触しないと液漏れを生じてしまうため、必然、必要以上に硬く締めてしまいがちであった。  そして、このような締め過ぎが生じた場合、円筒状垂下片ｃの下端に、その必要以上の圧接に基づく不測の変形が生じてしまい、閉塞の不全化、並びに、キャップ体ａ全体のゆがみ発生等の問題が生じることを余儀なくされた。
【０００６】
本発明は、上述したような従来の問題点を解決した新規の「刷毛付きキャップを具えた容器」の提供を図ったものである。
【課題を解決するための手段】
【０００７】
本発明は、胴部にネジ溝2aを形成した口部２を具えた容器体1と、内周面に当該ネジ溝2aと螺合するネジ部3aを形成すると共に下端に刷毛５を装着した柄状杆４を中心部に垂設したキャップ体３とから成る刷毛付きキャップを具えた容器に於いて、
前記した口部２は、上端に水平周面2bを連設すると共に当該水平周面2bの内周縁から垂直に折曲げ形成した垂下周面2cを連設するように構成し、
前記したキャップ体３には、その内側にして上記柄状杆４の外側の部分に円筒状垂下片６を同心円状に垂設すると共に、当該円筒状垂下片６として、その下端縁部分を二股状に分岐させることにより、外側分岐片6aと、これより丈長に垂下させた内側分岐片6bとを形成し、当該内側分岐片6bの外面側はテーパー周面6cとすると共にそのテーパー形態を、広径部分が上記口部２の開口直径よりも大きく、また、狭径部分は当該口部２の開口直径よりも小さくなるように設定することに依り、当該テーパー周面6cが口部２の垂下周面2cに圧接して口部２の閉塞が果たされるように設定し、また、前記した外側分岐片6aは、テーパー周面6cの上記圧接した際に、口部２の水平周面2bに当たってキャップ体３のこれ以上の螺合降下が阻止されるような寸法的設定を施すように構成すると共に、上記した外側分岐片6aは、キャップ体３をやや強めに締めることにより外側方向にやや反らされ、これに基づき円筒状垂下片６の下端部寄りに回転モーメントを生させて、内側分岐片6bを外方に引き寄せて口部２の垂下周面2cに強く押付ける力として働くように構成して成り、かつ、キャップ体２はその全体を弾力性を有する合成樹脂材料で形成した刷毛付きキャップに係るものである。
【０００８】
【０００９】
本発明は上記したような構成の採用に基づき、既述したような従来の問題を解消したものである。
【発明の効果】
【００１０】
本発明に係る容器は請求項1に記載したような構成を採用したから、すなわち、  胴部にネジ溝2aを形成した口部２を具えた容器体1と、内周面に当該ネジ溝2aと螺合するネジ部3aを形成すると共に下端に刷毛５を装着した柄状杆４を中心部に垂設したキャップ体３とから成る刷毛付きキャップを具えた容器に於いて、前記した口部２は、上端に水平周面2bを連設すると共に当該水平周面2bの内周縁から垂直に折曲げ形成した垂下周面2cを連設するように構成し、前記したキャップ体３には、その内側にして上記柄状杆４の外側の部分に円筒状垂下片６を同心円状に垂設すると共に、当該円筒状垂下片６として、その下端縁部分を二股状に分岐させることにより、外側分岐片6aと、これより丈長に垂下させた内側分岐片6bとを形成し、当該内側分岐片6bの外面側はテーパー周面6cとすると共にそのテーパー形態を、広径部分が上記口部２の開口直径よりも大きく、また、狭径部分は当該口部２の開口直径よりも小さくなるように設定することに依り、当該テーパー周面6cが口部２の垂下周面2cに圧接して口部２の閉塞が果たされるように設定したから、容器の閉塞は、キャップ体３側のテーパー周面6cが、容器体1側の垂下周面2cに対する圧接、すなわち、一種の面的接触に基づいて行われることとなる。  従って、従来のような線的接触に基づく閉塞と異なり、極めて安定かつ完璧化される。  すなわち、従来に於いて生じた、円筒状垂下片ｃの全周の一律的接触を確保することができず、上下、左右にブレ(傾きを生じてしまうために発生するブレ)が生じてしまいがちであり、これにより閉塞の不完全性を招くと言うような問題は、本発明にあっては全く解消される。
【００１１】
そして、上記したような傾きに基づくブレ発生という問題が解消される結果、キャップ体を容器にセットする際、テーパー周面6cを持つ内側分岐片6bは螺合降下時にガイドの役を果たし、上下、左右のブレが生じることなく中心が定まり易くなり、そのため、例えば容器に対する液体の充填作業ライン管理においてキャップ体の螺合作業が飛躍的に簡便かつ確実に果たされることとなる。  すなわち、当該螺合がブレにより確実性が損なわれた場合、充填作業ライン管理に齟齬をきたすこととなるが、本発明にあってはこのような問題発生が一掃される。
【００１２】
そして、本発明に係る容器は、前記した外側分岐片6aは、テーパー周面6cの上記圧接した際に、口部２の水平周面2bに当たってキャップ体３のこれ以上の螺合降下が阻止されるような寸法的設定を施すように構成してあるから、内側分岐片6bのテーパー周面6cによる面的閉塞が成された際に、外側分岐片6aによってキャップ体３の螺合降下が阻止されるため、キャップ体３の締め過ぎというような事態発生が未然に阻止されることとなる。  従って、従来に於いて生じた、キャプ体の締め過ぎに起因して円筒状垂下片ｃ下端の不測の変形、これに伴う閉塞の不全化およびキャップ体ａ全体のゆがみ発生等の問題は、本発明にあっては全く解消される。
また、従来は円筒状垂下片６の最先端を容器の水平周面2bに対する線的接触に基づき密封していたが、本発明は円筒状垂下片６の最先端ではなく、テーパー周面6cを具えた内側分岐片6b部位を容器の垂下周面2cに対する面的接触により密閉が図られることとなるため、その密封性が著しく向上化されることとなる。
更に本発明は、上記した外側分岐片6aは、キャップ体３をやや強めに締めることにより外側方向にやや反らされ、これに基づき円筒状垂下片６の下端部寄りに回転モーメントを生させて、内側分岐片6bを外方に引き寄せて口部２の垂下周面2cに強く押付ける力として働くように構成したから、キャップ体３をやや強めに締めることにより、上記した外側分岐片6aが図４に矢印で示すように外側方向にやや反らされることとなる。  これに伴い円筒状垂下片６の下端部寄りに回転モーメントが生じ、内側分岐片6bを同図に示す矢印方向に引き寄せるような力、すなわち、口部２の垂下周面2cに強く押付ける力として働くこととなる。  換言すると、テーパー周面6cを具えた内側分岐片6bはその分岐基部を支点とした梃子的作用が生じ、垂下周面2cに強く押付ける力が働き、その閉塞作用の増大化が図られることとなる。
【発明を実施するための最良の形態】
【００１３】
図に於いて、1は容器、２は当該容器1の中心位置に突設した口部であって、その胴部にはネジ溝2aが形成されている。  また、当該口部2は、その上端に水平周面2bを連設すると共に、当該水平周面2bの内周縁から垂直に折曲げ形成した垂下周面2cを連設してある。
そして本発明は、当該垂下周面2cが閉鎖用面となるように構成したものである。  なお、容器1の形成材料であるが、これは金属材料で形成することを通常とするが、合成樹脂材料製としてもよい。  なお、合成樹脂製の場合は、ネジ溝2a・水平周面2b・垂下周面2cで囲まれる部分は内部が充填された状態での一体成形するようにすることが、強度的な点で好ましい。
【００１４】
３はキャップ体であって、その内周面には上記した容器1の口部2aに形成されているネジ溝2aと螺合するネジ部3aが形成してある。  4はキャップ体３の中心部に形成した柄状杆であって、その下端には刷毛５が装着されている。  そして、当該キャップ体３は、後述する内側分岐片6bが弾力性を備えていることが望ましいため、通常は合成樹脂材料で形成することが好ましい。  また、図１に示す実施例にあっては、柄状杆はその全体が一体的に形成された状態で表してあるが、これは別体のものを螺合等の手段で取り付けるように構成してもよい。
【００１５】
６は円筒状垂下片であって、キャップ体３の内側にして上記柄状杆４の外側の部分の所定位置に同心円状に一体的に垂設してある。  そして、当該円筒状垂下片６の下端縁部分を二股状に分岐させることにより、外側分岐片6aと、これより更に垂下させた(これより丈長な)内側分岐片6bとを形成してある。
上記した内側分岐片6bはその外面側をテーパー周面6cとなっており、当該内側分岐片6bは口部２の開口内に突入し、当該テーパー周面6cが当該開口部分の垂下周面2cに圧接することにより、その口部密封が果たされるように構成してある。
そして、前記した外側分岐片6aは、上記のようにテーパー周面6cが口部２の垂下周面2cに圧接した際に、当該口部２の水平周面2bに当たって、キャップ体３のこれ以上の螺合、すなわち、閉鎖方向の回動が阻止されるように構成してある。
【００１６】
上記した内側分岐片6bは、容器1の口部２の開口内に突入可能な位置に設けると共に、そのテーパー周面6cのテーパー度合いは、その広径部分は口部２の開口直径よりも大きく、また、その狭径部分は部２の開口直径よりも小さくなるように設定してある。
【００１７】
そのため、閉塞に際してキャップ体３を容器の口部2aに螺合させることにより、キャップ体３の円筒状垂下片６は、その内側分岐片6bが開口部に突入すると共に、当該内側分岐片6bがテーパー周面6cを具えたものであるため、ある程度突入した時点で、これが口部２の垂下周面2cに圧接して閉塞作用が奏されるように構成してある。
そして、上記のような閉塞作用が奏された時点で、外側分岐片6aが口部２の水平周面2bに突き当たり、キャップ体３のこれ以上の螺合を阻止するようなストッパー作用が奏されるように構成してある。
【００１８】
ところで、上記した外側分岐片6aであるが、キャップ体３をやや強めに締めることにより、図４に矢印で示すように外側方向にやや反らされることとなる。  これに伴い円筒状垂下片６の下端部寄りに回転モーメントが生じ、内側分岐片6bを同図に示す矢印方向に引き寄せるような力、すなわち、口部２の垂下周面2cに強く押付ける力として働くこととなる。  換言すると、テーパー周面6cを具えた内側分岐片6bはその分岐基部を支点とした梃子的作用が生じ、垂下周面2cに強く押付ける力が働き、その閉塞作用の増大化が図られることとなる。
なお、上記した外側分岐片6aの反りを生じさせるのは、テーパー周面6cを具えた内側分岐片6bの圧接力向上のためであり、当該外側分岐片6aによる閉塞作用を期待するものでは無い。  すなわち、本発明に於いて閉塞作用を司るのは、あくまでも、垂下周面2cに対するテーパー周面6cを具えた内側分岐片6bの面的接触に基づくものである。
【図面の簡単な説明】
【００１９】
【図１】本発明に係る容器の縦断面図である。
【図２】本発明に係る容器の要部を拡大して示す断面図である。
【図３】上記した要部を更に著しく拡大して示す断面図である。
【図４】本発明の作用を表すために著しく拡大して示す説明用断面図である。
【図５】従来の容器を表した縦断面図である。
【符号の説明】
【００２０】
１  容器
２  口部
2a  ネジ溝
2b  水平周面
2c  垂下周面
３  キャップ体
４  柄状杆
５  刷毛
６  円筒状垂下片
6a  外側分岐片
6b  内側分岐片
6c  テーパー周面
【図１】
0004718124.tif 000002
【図２】
0004718124.tif 000003
【図３】
0004718124.tif 000004
【図４】
0004718124.tif 000005
【図５】
0004718124.tif 000006